(57)【要約】動物（１８）の体の周囲に延在するように構成された柔軟性材料からなる家庭内の動物（１８）用、具体的には小型及び中型の犬及び猫用のジャケット。人間が保持することによって動物（１８）を運搬することを許容するハンドル（２８）が、通常の使用時に、動物（１８）の背中に隣接する。前記ハンドル（２８）は、取り外しが選択できるように構成されているのが好ましい。
2005527225.tif 000002
【特許請求の範囲】
【請求項１】
動物（１８）の体の周囲に延在するように構成された柔軟性部材からなる家庭内の動物（１８）用、具体的には小型及び中型の犬及び猫用のジャケットにおいて、
人間が保持することによって前記動物（１８）の運搬を許容するハンドル（２８）が、通常の使用時に、前記動物（１８）の背中に接触するように構成された前記柔軟性部材の外表面に連結されていることを特徴とする、ジャケット。
【請求項２】
前記柔軟性部材は、実質的な管状に折り畳むことを許容する相互連結手段（１４）を両端に有する柔軟材シート（１０）であり、前記柔軟性部材は、前記管状状態では前記動物（１８）の体の周囲に延在し、前記ハンドル（２８）は、前記シート（１０）の中央部の外表面に配置されることを特徴とする、請求項１に記載のジャケット。
【請求項３】
前記シート（１０）は、前記動物の足と頭を通すための開口部（２０）を有し、前記相互連結手段（１４）は、ミクロ・フックタイプであることを特徴とする、請求項２に記載のジャケット。
【請求項４】
前記柔軟性部材の外表面には、締付及び長さ調節用のバックル（２４）が設けられたストラップ（２２）が連結されていることを特徴とする、請求項１〜３のいずれかに記載のジャケット。
【請求項５】
前記ハンドル（２８）は、前記柔軟性部材の内部に挿入された補強筋（３２）に両端（３０）が固定されているＣ字状の本体を有することを特徴とする、請求項１〜４のいずれかに記載のジャケット。
【請求項６】
前記ハンドル（２８）には、柔軟性部材からの離脱の選択を許容する手段が設けられていることを特徴とする、請求項１〜４のいずれかに記載のジャケット。
【請求項７】
前記柔軟性部材には、前記補強筋（３２）が取り付けられていることを特徴とする、請求項６に記載のジャケット。
【請求項８】
前記シート（１０）に、実質的に矩形状の繊維片（３４）が長手方向に沿って固定され、前記補強筋（３２）は、隆起端部（３６）を有し、該隆起端部（３６）が前記繊維片（３４）の外側に突出して前記補強筋（３２）が摺動するのを防止するように、前記繊維片（３４）とこれに対向する前記シート部（１０）との間に挿入されていることを特徴とする、請求項７に記載のジャケット。
【請求項９】
前記補強筋（３２）の両端（３６）は、前記補強筋（３２）と実質的に平行な位置に正確に配置された縦穴（３８）をそれぞれ有し、前記補強筋（３２）の前端は、垂直方向における前記補強筋（３２）に対して実質的な横方向に正確に配置されて前記縦穴（３８）と連通する開口部（４０）を有することを特徴とする、請求項７又は８に記載のジャケット。
【請求項１０】
前記補強筋（３２）の各端部（３６）を固定するのに適した第１、第２ストラップ（４２）が、前記補強筋（３２）に対して横方向に配置されて前記シート（１０）に固定されていることを特徴とする、請求項７〜９のいずれかに記載のジャケット。
【請求項１１】
前記ハンドル（２８）は、前記補強筋（３２）の後端（３６）の穴（３８）に挿入される端部片（４４）が突出する後端と、前記開口部（４０）及び前記補強筋（３２）の前端（３６）の穴（３８）との嵌合を選択できる手段が設けられたスリーブ（４６）と一体的に形成された前端とを有するＣ字状の本体を有することを特徴とする、請求項９又は１０に記載のジャケット。
【請求項１２】
前記スリーブ（４６）は、軸方向に沿った縦方向に延在して前記摺動部（５０）が摺動可能に取り付けられた空洞部（４８）を有し、前記摺動部は、外部から動作するヘッド部（５２）と、該ヘッド部（５２）と一体的に形成された軸部（５４）と、該軸部（５４）の中央部及び先端部の外側に同軸上に取り付けられた管状部材（５６）とからなり、第１弾性部材（５８）は、前記軸部（５４）の放射状段部（６０）と、前記管状部材（５６）と一体的に形成された前記フランジ（６４）の第１放射状延在設置面（６２）との間に配置され、前記第１弾性部材（５８）より柔軟に構成された第２弾性部材（６６）は、前記フランジ（６４）の第２放射状延在設置面（６８）と、前記スリーブ（４６）の近接面（７０）との間に配置され、前記軸部（５４）の先端部は、環状チャンネル（７２）を有し、前記管状部材（５６）の先端部は、前記管状部材（５６）の外側に部分的に突出する保持部材が配置される放射状空洞部（７４）を少なくともひとつ有することを特徴とする、請求項１１に記載のジャケット。
【請求項１３】
前記管状部材（５６）の先端部は、前記球状保持部材（７６）がそれぞれ配置される一対の前記放射状空洞部（７４）を対向位置に有することを特徴とする、請求項１２に記載のジャケット。
【発明の詳細な説明】
【技術分野】
【０００１】
本発明は、家庭内の動物用ジャケット、具体的には小型及び中型の犬及び猫用のジャケットに関する。
【発明の開示】
【発明が解決しようとする課題】
【０００２】
より具体的に言えば、前記ジャケットは、空気中の物質が与える影響から保護する機能を果たすために動物の体の周囲に延在するように構成された柔軟性部材からなるものであるが、該柔軟性部材は、拘束具の一端の固定を許容するように構成されていてもよい。
【０００３】
本発明は、前記機能とは別の付加機能を果たす前記タイプのジャケットを提供することを目的とする。
【課題を解決するための手段】
【０００４】
本発明によれば、前記目的は、添付の独立請求項で特に参照される特徴を有するジャケットを用いることによって達成されるものである。本発明のジャケットの好ましい特徴は、従属項に示されている。
【０００５】
本発明の他の有利な点及び特徴は、添付図面に参照された例に限定されるものではないが、後述の説明によって明らかになるであろう。
【発明を実施するための最良の形態】
【０００６】
家庭内の動物用ジャケット、具体的には小型及び中型の犬及び猫用のジャケットは、柔軟性部材からなる（図１参照）。柔軟性部材は、中央の縦軸に対して実質的に対称な形状に形成されたシート１０からなる。柔軟性部材は、ミクロ・フックタイプ又はベルクロ（登録商標）タイプの相互連結手段１４が設けられた端部舌状部を有する。シート１０は、動物の皮膚と接触するのに適した柔軟性材料、例えば、繊維、不織布、発泡プラスチック等で製造される。シート１０は、重層構造に構成され、かつ／あるいは、内部に空洞部を備えていてもよい。さらに、シート１０の外周にはパッド１６が取り付けられている。シート１０の柔軟性、シート１０の形状及び連結手段１４によって、シート１０を実質的な管状に折り畳むことができ、その結果、シート１０が動物１８の体の周囲に延在し、かつ、動物の足と頭部を通すための開口部２０がシート１０に形成される（図２及び図３参照）。さらに、ストラップ２２がシート１０の外表面に連結され、該ストラップ２２には締付及び長さ調節用のバックル２４が設けられている。前記ストラップは、シート１０が管状に形成された時、前記シート１０と実質的に同軸上になる正確な位置に配置される。ストラップ２２は、種々のもの、例えば、小さな布を収納する小型バッグ２６をジャケットに固定するために用いられる。
【０００７】
ハンドル２８は、Ｃ字状の本体を有し、該本体の両端３０は、シート１０の内部に挿入される補強筋３２に固定されている。前記ハンドル２８は、通常の使用時に、動物１８の背中と接触する部分（すなわち、連結手段１４が取り付けられた端部と離れたシート１０の中央部）であるシート１０の外表面に連結される。
【０００８】
ジャケットを従来方法で動物１８に着用させることで、空気中の物質、虫等が与える影響から保護するという典型的な機能を果たすが、ハンドル２８が設けられていることは、前記のような機能に影響を及ぼすものではない。例えば、所定の環境を汚さないようにするため、あるいは、障害物を通過するために動物１８を運搬しなければならないような時には、ハンドル２８を把持して持ち上げるだけでよい（図３参照）。これにより、柔軟性シート１０は、動物を支持する力が動物の腹部に均一にかかる動物のみならず、ハンドル２８を把持することで動物の重量を支持するのに役立てることができる人間にとっても便利で快適な運搬を許容する装着帯としての機能を果たす。運搬中におけるより一層の安全を図るには、動物１８自らが動くことができずに柔軟性シート１０にしっかり押さえ付けられた状態に維持するように、事前にストラップ２２を締め付けておく方がよい。
【０００９】
図４〜図８までは、本発明の第２実施形態に係るジャケットを示している。なお、上記の図１〜図３までに付された参照数字と同一の数字は、同一又は同等の部材に参照する。
【００１０】
ジャケットの構造及び全体的な機能は、第１実施形態に関する上記説明と比較して実質的な変更点はない。しかしながら、本実施形態では、ハンドル２８には、柔軟性シート１０からの離脱の選択を許容することができる手段が設けられている。
【００１１】
実質的に矩形状の繊維片３４は、長手方向に沿って縫い付けられることでシート１０の中央領域に固定される。補強筋３２は、隆起端部３６を有する。補強筋３２は、隆起端部３６が繊維片３４の外側に突出し、かつ、補強筋３２が摺動するのを防止するように、繊維片３４とシート１０の対向領域との間に挿入されている。
【００１２】
２つの隆起端部３６は、補強筋３２と実質的に平行な位置に正確に配置された縦穴３８をそれぞれ有する（図４及び図５参照）。さらに、前方隆起端部３６は、垂直方向における補強筋３２に対して実質的な横方向に正確に配置されて縦穴３８と連通する開口部４０を有する。
【００１３】
第１、第２ストラップ４２は、補強筋３２の各隆起端部３６を固定するのに適している。さらに、第１、第２ストラップ４２は、補強筋３２に対して横方向に配置されてシート１０に固定されている。
【００１４】
ハンドル２８は、中央パッド片が取り付けられたＣ字状の本体を有する。本体の後端からは端部片４４が突出し、該端部片４４は、補強筋３２の後方穴３８に挿入される。本体の前端は、開口部４０及び補強筋３２の前方穴３８との嵌合を選択できる手段が設けられたスリーブ４６と一体的に形成されている。
【００１５】
スリーブ４６は、軸方向に沿った縦方向に延在して摺動部５０が摺動可能に取り付けられた空洞部４８を有する（図６参照）。摺動部５０は、外部から動作することができるヘッド部５２と、該ヘッド部５２と一体的に形成された軸部５４と、該軸部５４の中央部及び先端部の外側に同軸上に取り付けられた管状部材５６とからなる。第１弾性部材５８は、軸部５４の放射状段部６０と、管状部材５６と一体的に形成されたフランジ６４の第１放射状延在設置面６２との間に配置される。第２弾性部材６６は、前記第１弾性部材５８より柔軟に構成され、フランジ６４の第２放射状延在設置面６８と、スリーブ４６の近接面７０との間に配置される。さらに、軸部５４の先端部は、環状チャンネル部７２を有し、管状部材５６の先端部は、球状保持部材７６がそれぞれ配置された一対の放射状空洞部７４を対向位置に有する。
【００１６】
通常の状態（図６参照）では、摺動部５０の先端部は、スリーブ４６から突出し、軸部５４が管状部材５６の内側にある収納位置に入った状態で、補強筋３２の前方端部３６の垂直開口部４０を通って延在する。その結果、球状保持部材７６は、管状部材の外側に突出し、ハンドル２８がシート１０に固定されるように（図４参照）、補強筋３２の開口部４０を囲む壁部７８に嵌合する。
【００１７】
逆に、ハンドル２８をシート１０から離脱させようとすれば、プッシュボタン式に摺動部５０のヘッド部５２を下方向に押す必要がある。第２弾性部材６６が第１弾性部材５８より柔軟に構成されているので、最初に押圧すると摺動部５０全体が下方向に摺動し、球状保持部材７６と壁部７８との接触が解除される（図７参照）。さらに、ヘッド部５２を押圧すると、第１弾性部材５８が圧縮して管状部材５６に対して軸部５４が摺動するため、環状チャンネル７２が空洞部７４と一直線上に位置することとなり、球状保持部材７６が完全に管状部材５６の内部に再度入り込むことを許容する（図８参照）。これにより、摺動部５０は壁部７８と嵌合していないので、単純な持上動作を行えば、補強筋３２の前方端部３６からハンドル２８の前端を離脱させることができる。その後、ハンドル２８を前方に引っ張れば、ハンドル２８の端部片４４が補強筋３２の後方穴３８から離脱する。これにより、ハンドル２８は、補強筋３２の後方穴３８から完全に分離するので、シート１０から離脱させることができる（図５参照）。
【００１８】
前記離脱作業による有利な点は、ジャケットを着用している動物が自ら歩く時に、ハンドル２８の重量による負担が動物１８にかからないようにできることである。逆に、動物１８を運搬する必要があれば、逆の順序で前記作業を繰り返して、柔軟性シート１０と一体的に形成された補強筋３２にハンドル２８をもう１度固定するだけでよい。前記方法によれば、ハンドル２８は、第１実施形態に係るジャケットについて前述されたものと同様の動物１８用の装着具としての機能を果たすシート１０用の把持部を構成する。
【００１９】
当然に、同一性を維持する本発明の原理、実施形態及び構造の細部は、本発明の範囲を逸脱するものでなければ、単なる例示に過ぎない説明及び図示のものと比べて大きく変更されてもよい。特に、柔軟性部材及びハンドルの形状は、実質的にどんなものであってもよい。
【図面の簡単な説明】
【００２０】
【図１】展開状態及び使用前の形状を示す本発明のジャケットの平面図である。
【図２】管状にした状態を示す図１のジャケットの斜視図である。
【図３】動物が着用した状態を示す図２のジャケットの斜視図である。
【図４】本発明の別の実施形態に係るジャケットの細部を示した斜視図である。
【図５】図４と形態が異なる状態に変化したジャケットの細部を示した斜視図である。
【図６】図４及び図５のジャケットの部品の断面図であり、動作位置を示したものである。
【図７】図４及び図５のジャケットの部品の断面図であり、動作位置を示したものである。
【図８】図４及び図５のジャケットの部品の断面図であり、動作位置を示したものである。
【図１】
2005527225.tif 000003
【図２】
2005527225.tif 000004
【図３】
2005527225.tif 000005
【図４】
2005527225.tif 000006
【図５】
2005527225.tif 000007
【図６】
2005527225.tif 000008
【図７】
2005527225.tif 000009
【図８】
2005527225.tif 000010
【手続補正書】
【提出日】平成16年3月4日(2004.3.4)
【手続補正１】
【補正対象書類名】特許請求の範囲
【補正対象項目名】全文
【補正方法】変更
【補正の内容】
【特許請求の範囲】
【請求項１】
動物（１８）の体の周囲に延在するように構成された柔軟性部材からなり、
人間が保持することによって前記動物（１８）の運搬を許容するハンドル（２８）が、通常の使用時に、前記動物（１８）の背中に接触するように構成された前記柔軟性部材の外表面に連結されている家庭内の動物（１８）用、具体的には小型及び中型の犬及び猫用のジャケットにおいて、
前記ハンドル（２８）には、前記柔軟性部材からの離脱の選択を許容する手段が設けられていることを特徴とする、ジャケット。
【請求項２】
前記柔軟性部材は、実質的な管状に折り畳むことを許容する相互連結手段（１４）を両端に有する柔軟材シート（１０）であり、前記柔軟性部材は、前記管状状態では前記動物（１８）の体の周囲に延在し、前記ハンドル（２８）は、前記シート（１０）の中央部の外表面に配置されることを特徴とする、請求項１に記載のジャケット。
【請求項３】
前記シート（１０）は、前記動物の足と頭を通すための開口部（２０）を有し、前記相互連結手段（１４）は、ミクロ・フックタイプであることを特徴とする、請求項２に記載のジャケット。
【請求項４】
前記柔軟性部材の外表面には、締付及び長さ調節用のバックル（２４）が設けられたストラップ（２２）が連結されていることを特徴とする、請求項１〜３のいずれかに記載のジャケット。
【請求項５】
前記ハンドル（２８）は、Ｃ字状の本体を有することを特徴とする、請求項１〜４のいずれかに記載のジャケット。
【請求項６】
前記柔軟性部材は、前記補強筋（３２）が取り付けられていることを特徴とする、請求項１〜５のいずれかに記載のジャケット。
【請求項７】
前記シート（１０）に、実質的に矩形状の繊維片（３４）が長手方向に沿って固定され、前記補強筋（３２）は、隆起端部（３６）を有し、該隆起端部（３６）が前記繊維片（３４）の外側に突出して前記補強筋（３２）が摺動するのを防止するように、前記繊維片（３４）とこれに対向する前記シート部（１０）との間に挿入されていることを特徴とする、請求項６に記載のジャケット。
【請求項８】
前記補強筋（３２）の両端（３６）は、前記補強筋（３２）と実質的に平行な位置に正確に配置された縦穴（３８）をそれぞれ有し、前記補強筋（３２）の前端は、垂直方向における前記補強筋（３２）に対して実質的な横方向に正確に配置されて前記縦穴（３８）と連通する開口部（４０）を有することを特徴とする、請求項６又は７に記載のジャケット。
【請求項９】
前記補強筋（３２）の各端部（３６）を固定するのに適した第１、第２ストラップ（４２）が、前記補強筋（３２）に対して横方向に配置されて前記シート（１０）に固定されていることを特徴とする、請求項６〜８のいずれかに記載のジャケット。
【請求項１０】
前記ハンドル（２８）は、前記補強筋（３２）の後端（３６）の穴（３８）に挿入される端部片（４４）が突出する後端と、前記開口部（４０）及び前記補強筋（３２）の前端（３６）の穴（３８）との嵌合を選択できる手段が設けられたスリーブ（４６）と一体的に形成された前端とを有するＣ字状の本体を有することを特徴とする、請求項８又は９に記載のジャケット。
【請求項１１】
前記スリーブ（４６）は、軸方向に沿った縦方向に延在して前記摺動部（５０）が摺動可能に取り付けられた空洞部（４８）を有し、前記摺動部は、外部から動作するヘッド部（５２）と、該ヘッド部（５２）と一体的に形成された軸部（５４）と、該軸部（５４）の中央部及び先端部の外側に同軸上に取り付けられた管状部材（５６）とからなり、第１弾性部材（５８）は、前記軸部（５４）の放射状段部（６０）と、前記管状部材（５６）と一体的に形成された前記フランジ（６４）の第１放射状延在設置面（６２）との間に配置され、前記第１弾性部材（５８）より柔軟に構成された第２弾性部材（６６）は、前記フランジ（６４）の第２放射状延在設置面（６８）と、前記スリーブ（４６）の近接面（７０）との間に配置され、前記軸部（５４）の先端部は、環状チャンネル（７２）を有し、前記管状部材（５６）の先端部は、前記管状部材（５６）の外側に部分的に突出する保持部材が配置される放射状空洞部（７４）を少なくともひとつ有することを特徴とする、請求項１０に記載のジャケット。
【請求項１２】
前記管状部材（５６）の先端部は、前記球状保持部材（７６）がそれぞれ配置される一対の前記放射状空洞部（７４）を対向位置に有することを特徴とする、請求項１１に記載のジャケット。
【国際調査報告】
2005527225.tif 000011
2005527225.tif 000012
2005527225.tif 000013